(57)【特許請求の範囲】
【請求項１】
上縁部分が支持バーに取着されて前後対向する前のカーテンと後のカーテンの上昇と下降を、該カーテンの幅方向の少なくとも両側に対応させて上下方向で配設した昇降コードの昇降操作によって行うように構成された二重昇降カーテン装置であって、
前記した夫々の昇降コードは、前後いずれか一方のカーテンに関し、その面部に上下所要間隔で設けられたコード挿通部に上から下に向けて挿通して後、該カーテンの上下方向の所要部位に設けた下案内部を経由して上方に延長されると共に、前記支持バー又は前記カーテンの所要部位に設けた上案内部に経由せしめられ、その後、他方のカーテンの面部に上下所要間隔で設けられたコード挿通部に上から下に向けて挿通し、その先端部が、該カーテンの上下方向の所要部位に固定状態とされており、該昇降コードの基端側での引き上げと戻しを伴う前記昇降操作により、前後のカーテンの上昇と下降を行わせ得ることを特徴とする二重昇降カーテン装置。
【請求項２】
上縁部分が支持バーに取着されて前後対向する前のカーテンと後のカーテンの上昇と下降を、該カーテンの幅方向の少なくとも両側に対応させて上下方向で配設した昇降コードの昇降操作によって行うように構成された二重昇降カーテン装置であって、
前記した夫々の昇降コードは、前後いずれか一方のカーテンに関し、その面部に上下所要間隔で設けられたコード挿通部に上から下に向けて挿通して後、該カーテンの下端側に設けた下案内部を経由して上方に延長されると共に、前記支持バー又は前記カーテンの所要部位に設けた上案内部に経由せしめられ、その後、他方のカーテンの面部に上下所要間隔で設けられたコード挿通部に上から下に向けて挿通し、その先端部が、該カーテンの下端側に固定状態とされており、該昇降コードの基端側での引き上げと戻しを伴う前記昇降操作により、前後のカーテンの上昇と下降を行わせ得ることを特徴とする二重昇降カーテン装置。
【請求項３】
上縁部分が支持バーに取着されて前後対向する前のカーテンと後のカーテンの上昇と下降を、該カーテンの幅方向の少なくとも両側に対応させて上下方向で配設した昇降コードの昇降操作によって行うように構成された二重昇降カーテン装置であって、
前記した夫々の昇降コードは、前後いずれか一方のカーテンに関し、その面部に上下所要間隔で設けられたコード挿通部に上から下に向けて挿通して後、該カーテンの上下方向の所要部位に設けた下案内部を経由して上方に延長されると共に、前記支持バー又は前記カーテンの所要部位に設けた上案内部に経由せしめられ、その後、他方のカーテンの面部に上下所要間隔で設けられたコード挿通部に上から下に向けて挿通し、その後、該カーテンの上下方向の所要部位に設けた下案内部を経由して上方に延長され、その先端部が該カーテンの所要部位に固定状態とされており、該昇降コードの基端側での引き上げと戻しを伴う前記昇降操作により、前後のカーテンの上昇と下降を行わせ得ることを特徴とする二重昇降カーテン装置。
【請求項４】
上縁部分が支持バーに取着されて前後対向する前のカーテンと後のカーテンの上昇と下降を、該カーテンの幅方向の少なくとも両側に対応させて上下方向で配設した昇降コードの昇降操作によって行うように構成された二重昇降カーテン装置であって、
前記した夫々の昇降コードは、前後いずれかのカーテンに関し、その面部に上下所要間隔で設けられたコード挿通部に上から下に向けて挿通して後、該カーテンの上下方向の所要部位に設けた下案内部を経由して上方に延長されると共に、前記支持バー又は前記カーテンの所要部位に設けた上案内部に経由せしめられ、その後、他方のカーテンの面部に上下所要間隔で設けられたコード挿通部に上から下に向けて挿通し、その後、該カーテンの上下方向の所要部位に設けた下案内部を経由して上方に延長され、その先端部が前記支持バーに固定状態とされており、該昇降コードの基端側での引き上げと戻しを伴う前記昇降操作により、前後のカーテンの上昇と下降を行わせ得ることを特徴とする二重昇降カーテン装置。
【請求項５】
上縁部分が支持バーに取着されて前後対向する、室内側に配置された前のカーテンと窓側に配置された後のカーテンの上昇と下降を、該カーテンの幅方向の少なくとも両側に対応させて上下方向で配設した昇降コードの昇降操作によって行うように構成された二重昇降カーテン装置であって、
前記した夫々の昇降コードは、前記前のカーテンに関し、その裏面部に上下所要間隔で設けられたコード挿通部に上から下に向けて挿通して後、該カーテンの下端側に設けた下案内部を経由して上方に延長されると共に、前記支持バーに設けた上案内部に経由せしめられ、その後、前記後のカーテンの裏面部に上下所要間隔で設けられたコード挿通部に上から下に向けて挿通し、その先端部が、該カーテンの下端側に固定状態とされており、且つ、前記前のカーテンの自重の１／２が前記後のカーテンの自重よりも小さく設定されており、又、該昇降コードの基端側での引き上げと戻しを伴う前記昇降操作により、前後のカーテンの上昇と下降を行わせることができ、昇降コードの基端側での引上げによって、前のカーテンが先に上昇し、その後に後のカーテンが上昇することを特徴とする二重昇降カーテン装置。
【請求項６】
前記支持バーには、前記カーテンの幅方向に延長する巻取り軸が配設され、該巻取り軸に前記昇降コードの前記基端側が固定されており、該巻取り軸を一方向に回転させることによって前記各昇降コードが該巻取り軸に巻き取られ、これにより前記前後のカーテンを上昇させることができ、一方、該巻取り軸を逆回転させることによって前記各昇降コードが巻き戻され、これにより前記前後のカーテンを下降させ得ることを特徴とする請求項１〜５のいずれかに記載の二重昇降カーテン装置。
【請求項７】
前記支持バーの一端側にロック装置を固定し、各昇降コードの前記基端側を該ロック装置に通し、該ロック装置を通った昇降コードを引くことによって前記前後のカーテンを上昇させることができ、所要の上昇状態で、前記昇降コードがロックされることを特徴とする請求項１〜５のいずれかに記載の二重昇降カーテン装置。
【請求項８】
上縁部分が支持バーに取着されて前後対向する前のカーテンと後のカーテンの上昇と下降を、該カーテンの幅方向の少なくとも両側に対応させて上下方向で配設した昇降コードの昇降操作によって行うように構成された二重昇降カーテン装置であって、前記前のカーテン及び後のカーテンは、共に、スラットを上下多段に並設してなるブラインドとして構成されており、
前記した夫々の昇降コードは、前後いずれか一方のカーテンに関し、前記ブラインドの全てのスラットに設けられたコード挿通孔に上から下に向けて挿通して後、該ブラインドの下端側に設けられた下案内部を経由して上方に延長されると共に、前記支持バー又は前記カーテンの所要部位に設けた上案内部に経由せしめられ、その後、他方のブラインドの全てのスラットに設けられたコード挿通孔に上から下に向けて挿通し、その先端部が、該他方のブラインドの下端部に固定状態されており、該昇降コードの基端側での引上げと戻しを伴う前記昇降操作により、前後のブラインドの上昇と下降を行わせ得ることを特徴とする二重昇降カーテン装置。
【請求項９】
上縁部分が支持バーに取着された前後対向する前のカーテンと後のカーテンの上昇と下降を、該カーテンの幅方向の少なくとも両側に対応させて上下方向で配設した昇降コードの昇降操作によって行うように構成された二重昇降カーテン装置であって、前のカーテン又は後のカーテンのいずれか一方は、スラットを上下多段に並設してなるブラインドとして構成され、他方のカーテンは全体がシート状に構成されており、
前記した夫々の昇降コードは、前記ブラインドとしてのカーテンに関し、全てのスラットに設けられたコード挿通孔に上から下に向けて挿通して後、該ブラインドの下端側に設けた下案内部を経由して上方に延長されると共に、前記支持バー又は前記カーテンに設けた上案内部に経由せしめられ、その後、他方のカーテンの面部に上下所要間隔で設けられたコード挿通部に上から下に向けて挿通し、その先端部が、該カーテンの上下方向の所要部位に固定状態とされており、該昇降コードの基端側での引き上げと戻しを伴う前記昇降操作により、前後のカーテンの上昇と下降を行わせ得ることを特徴とする二重昇降カーテン装置。
【請求項１０】
上縁部分が支持バーに取着された前後対向する前のカーテンと後のカーテンの上昇と下降を、該カーテンの幅方向の少なくとも両側に対応させて上下方向で配設した昇降コードの昇降操作によって行うように構成された二重昇降カーテン装置であって、前のカーテン又は後のカーテンのいずれか一方は、スラットを上下多段に並設してなるブラインドとして構成され、他方のカーテンは全体がシート状に構成されており、
前記した夫々の昇降コードは、前記シート状に構成されたカーテンに関し、その面部に上下所要間隔で設けられたコード挿通部に上から下に向けて挿通して後、該カーテンの上下方向の所要部位に設けた下案内部を経由して上方に延長されると共に、前記支持バー又は前記カーテンの所要部位に設けた上案内部に経由せしめられ、その後、前記ブラインドの全てのスラットに設けられたコード挿通孔に上から下に向けて挿通して後、その先端部が、該ブラインドの下端部に固定状態とされており、該昇降コードの基端側での引き上げと戻しを伴う前記昇降操作により、前後のカーテンの上昇と下降を行わせ得ることを特徴とする二重昇降カーテン装置。
【請求項１１】
いずれか一方のカーテンの自重の１／２が、他方のカーテンの自重よりも小さく設定されており、昇降コードの基端側での引上げによって、前記一方のカーテンが先に上昇し、その後に他方のカーテンが上昇することを特徴とする請求項１、２、３、４、８、９又は１０記載の二重昇降カーテン装置。
【発明の詳細な説明】
【０００１】
【発明の属する技術分野】
本発明は二重昇降カーテン装置に関するものであり、より詳しくは、上縁部分が支持バーに取着されて前後対向する前のカーテンと後のカーテンの上昇と下降を、該カーテンの幅方向の少なくとも両側に対応させて上下方向で配設した昇降コードの昇降操作によって行うように構成された二重昇降カーテン装置に関するものである。
【０００２】
【従来の技術】
窓部の上縁に沿って配設された直棒状の支持バーの前後に前のカーテンと後のカーテンを配置し、夫々のカーテンの上縁部分を前記支持バーに取着し、該前後のカーテンの昇降を、夫々のカーテンに対応して取り付けた昇降コードを個別に操作して行うように構成された二重昇降カーテン装置は、２台の昇降カーテン装置を前後に配設するよりも安価で、しかも全体をコンパクトに構成できるために人気が高い。
【０００３】
かかる二重昇降カーテン装置としては、前後のカーテンを個別に昇降操作するための操作手段の相違により、次の二種類が提案されていた。
【０００４】
その一つのタイプは図２３に示すように、前記前のカーテンａに対応して設けた前のロック装置ｂと、後のカーテンｃに対応させて設けた後のロック装置ｄを、前記支持バーｅの両端側に固定する一方、該前のカーテンａの一面部にその幅方向で所要間隔をおいて取り付けた昇降コードｆの複数本を纏めて前のロック装置ｂに通し、該ロック装置ｂを通った昇降コードの束を下方に引くことによって、該前のカーテンａが引き上げられる如くなし、所要の引き上げ状態で昇降コードをロックすることにより、前のカーテンａの所要の引上げ状態が保持されるように構成する一方、同様にして、後のカーテンｃに取り付けた昇降コードｇの複数本を纏めて前記後のロック装置ｄに通し、該ロック装置ｄを通った昇降コードの束を下方に引くことによって後のカーテンｃを引上げ可能となし、所要の引上げ状態で昇降コードをロックすることにより、前のカーテンの所要の引上げ状態が保持されるように構成されていた。
【０００５】
そしてもう一つのタイプは図２４に示すように、前記前後のロック装置ｂ，ｄを、前記支持バーｅの一方の端側の前後に位置をずらして設けた構成のものであり、夫々のロック装置によって、前後のカーテンａ，ｃを個別的に所要の引上げ状態でロック可能となされていた。
【０００６】
前記ロック装置ｂ，ｄについて説明を補足すれば、該ロック装置は図２５に示すように、昇降コードｆ，ｇを挿通させるためのコードガイド部ｈが、左右方向のラック状歯ｊを下に突の内面に有した下片ｋと、該下片ｋに対向する上片ｍに回動自在に設けられたローラｎとの間で形成されており、且つピニオン状のロックローラｐが、前記ラック状歯ｊに噛合して左右動可能に前記下片ｋに設けられていた。そして、全ての昇降コードｆ，ｇを前記コードガイド部ｈに挿通せしめ、これを同図に示すように、前記ロックロールｐの周面ｑに接触させて横方向に挿通状態とする。そして、このように挿通された昇降コードｆ，ｇは、該ロックロールｐが前記下片ｋの左側の坂状部分ｒを噛合状態で登るように移動することにより、図２５の実線で示すように、該ロックロールｐと前記ローラｎとの間で挟まれてロックされるように構成されていた。
【０００７】
【発明が解決しようとする課題】
しかしながら前記構成の二重昇降カーテン装置によるときには次のような問題点があった。
【０００８】
即ち、前記ロック装置ｂ，ｄを支持バーｅの両端側に固定する前者のタイプのものにあっては、前後のカーテンａ，ｃの昇降操作を支持バーの片側では行うことができないため、一方のカーテンを支持バーの一端側で昇降操作した後に他方のカーテンを昇降操作するには、操作する人が支持バーの他端側に移動しなければならない面倒さがあった。特に、支持バーの一方の端側にタンス等の物が設置されている場合は、設置物に邪魔されて、昇降コードの操作が行いにくく、乃至、昇降コードを操作できない問題も発生した。
【０００９】
一方、前後のロック装置ｂ，ｄを支持バーｅの一端側に固定した後者のタイプのものにあっては、前後のカーテンａ，ｃを支持バーの片側で操作できる利点はあるものの、前後の昇降コードｆ，ｇが互いに絡まりやすく、カーテンの昇降操作を的確に行い難い問題があった。
【００１０】
更に、前者及び後者のタイプのものに共通する欠点は、ロック装置ｂ，ｄが前記構成を有するものであって、前記コードガイド部ｈの寸法が限られたものであったことから、該コードガイド部ｈに挿通させ得る昇降コードの本数が最大でも７本程度までであり、従って、カーテンの左右幅は精々３ｍが限度であった。なお、カーテンの左右幅が４〜５ｍの場合、隣り合う昇降コード間の間隔を大きくすることにより、７本程度の昇降コードで該カーテンの昇降を行わせることも可能ではあるが、この場合は、１本の昇降コードに加わる張力が非常に大きくなってカーテン装置の破損を招く恐れもあったため、このような左右幅の大なるカーテンを用いた二重昇降カーテン装置の実施化は極めて困難であった。
【００１１】
本発明は、かかる従来の問題点に鑑みて開発されたものであり、全体をコンパクトに構成できながら、カーテンの左右方向の一端側で前後のカーテンを確実に且つ容易に昇降操作でき、又、左右幅の大なるカーテンを用いる場合であっても、これを安全に構成することのできる二重昇降カーテン装置の提供を課題とするものである。
【００１２】
【課題を解決するための手段】
前記課題を解決するため、本発明は以下の如き手段を採用する。
即ち本発明に係る二重昇降カーテン装置は、上縁部分が支持バーに取着されて前後対向する前のカーテンと後のカーテンの上昇と下降を、該カーテンの幅方向の少なくとも両側に対応させて上下方向で配設した昇降コードの昇降操作によって行うように構成された二重昇降カーテン装置である。そして前記した夫々の昇降コードは、前後いずれか一方のカーテンに関し、その面部に上下所要間隔で設けられたコード挿通部に上から下に向けて挿通して後、該カーテンの上下方向の所要部位（カーテンの下端側や中間部位）に設けた下案内部を経由して上方に延長されると共に、前記支持バー又は前記カーテンの所要部位に設けた上案内部に経由せしめられる。その後、他方のカーテンの面部に上下所要間隔で設けられたコード挿通部に上から下に向けて挿通し、その先端部が、該カーテンの上下方向の所要部位（カーテンの下端側や中間部位）に固定状態とされており、該昇降コードの基端側での引き上げと戻しを伴う前記昇降操作により、前後のカーテンの上昇と下降を行わせ得ることを特徴とするものである。
【００１３】
本発明に係る二重昇降カーテン装置の他の態様は、上縁部分が支持バーに取着されて前後対向する前のカーテンと後のカーテンの上昇と下降を、該カーテンの幅方向の少なくとも両側に対応させて上下方向で配設した昇降コードの昇降操作によって行うように構成された二重昇降カーテン装置である。そして前記した夫々の昇降コードは、前後いずれか一方のカーテンに関し、その面部に上下所要間隔で設けられたコード挿通部に上から下に向けて挿通して後、該カーテンの下端側に設けた下案内部を経由して上方に延長されると共に、前記支持バー又は前記カーテンの所要部位に設けた上案内部に経由せしめられる。その後、他方のカーテンの面部に上下所要間隔で設けられたコード挿通部に上から下に向けて挿通し、その先端部が、該カーテンの下端側に固定状態とされており、該昇降コードの基端側での引き上げと戻しを伴う前記昇降操作により、前後のカーテンの上昇と下降を行わせ得ることを特徴とするものである。
【００１４】
本発明に係る二重昇降カーテン装置のその他の態様は、上縁部分が支持バーに取着されて前後対向する前のカーテンと後のカーテンの上昇と下降を、該カーテンの幅方向の少なくとも両側に対応させて上下方向で配設した昇降コードの昇降操作によって行うように構成された二重昇降カーテン装置である。そして前記した夫々の昇降コードは、前後いずれか一方のカーテンに関し、その面部に上下所要間隔で設けられたコード挿通部に上から下に向けて挿通して後、該カーテンの上下方向の所要部位に設けた下案内部を経由して上方に延長されると共に、前記支持バー又は前記カーテンの所要部位に設けた上案内部に経由せしめられる。その後、他方のカーテンの面部に上下所要間隔で設けられたコード挿通部に上から下に向けて挿通し、その後、該カーテンの上下方向の所要部位に設けた下案内部を経由して上方に延長され、その先端部が該カーテンの所要部位に固定状態とされており、該昇降コードの基端側での引き上げと戻しを伴う前記昇降操作により、前後のカーテンの上昇と下降を行わせ得ることを特徴とするものである。
【００１５】
本発明に係る二重昇降カーテン装置のその他の態様は、上縁部分が支持バーに取着されて前後対向する前のカーテンと後のカーテンの上昇と下降を、該カーテンの幅方向の少なくとも両側に対応させて上下方向で配設した昇降コードの昇降操作によって行うように構成された二重昇降カーテン装置である。そして前記した夫々の昇降コードは、前後いずれかのカーテンに関し、その面部に上下所要間隔で設けられたコード挿通部に上から下に向けて挿通して後、該カーテンの上下方向の所要部位に設けた下案内部を経由して上方に延長されると共に、前記支持バー又は前記カーテンの所要部位に設けた上案内部に経由せしめられる。その後、他方のカーテンの面部に上下所要間隔で設けられたコード挿通部に上から下に向けて挿通し、その後、該カーテンの上下方向の所要部位に設けた下案内部を経由して上方に延長され、その先端部が前記支持バーに固定状態とされており、該昇降コードの基端側での引き上げと戻しを伴う前記昇降操作により、前後のカーテンの上昇と下降を行わせ得ることを特徴とするものである。
【００１６】
本発明に係る二重昇降カーテン装置のより好ましい態様は、上縁部分が支持バーに取着されて前後対向する、室内側に配置された前のカーテンと窓側に配置された後のカーテンの上昇と下降を、該カーテンの幅方向の少なくとも両側に対応させて上下方向で配設した昇降コードの昇降操作によって行うように構成された二重昇降カーテン装置である。そして前記した夫々の昇降コードは、前記前のカーテンに関し、その裏面部に上下所要間隔で設けられたコード挿通部に上から下に向けて挿通して後、該カーテンの下端側に設けた下案内部を経由して上方に延長されると共に、前記支持バーに設けた上案内部に経由せしめられる。その後、前記後のカーテンの裏面部に上下所要間隔で設けられたコード挿通部に上から下に向けて挿通し、その先端部が、該カーテンの下端側に固定状態とされており、且つ、前記前のカーテンの自重の１／２が前記後のカーテンの自重よりも小さく設定されており、又、該昇降コードの基端側での引き上げと戻しを伴う前記昇降操作により、前後のカーテンの上昇と下降を行わせることができ、昇降コードの基端側での引上げによって、前のカーテンが先に上昇し、その後に後のカーテンが上昇することを特徴とするものである。
【００１７】
前記各二重昇降カーテン装置において、前記支持バーに、前記カーテンの幅方向に延長する巻取り軸を配設し、該巻取り軸に前記昇降コードの前記基端側を固定し、該巻取り軸を一方向に回転させることによって前記各昇降コードが該巻取り軸に巻き取られ、これにより前記前後のカーテンを上昇させることができ、一方、該巻取り軸を逆回転させることによって前記各昇降コードが巻き戻され、これにより前記前後のカーテンを下降させ得る如く構成するのがよい。或いは前記各二重昇降カーテン装置において、前記支持バーの一端側にロック装置を固定し、各昇降コードの前記基端側を該ロック装置に通し、該ロック装置を通った昇降コードを引くことによって前記前後のカーテンを上昇させることができ、所要の上昇状態で、前記昇降コードがロックされる如く構成するのがよい。
【００１８】
本発明に係る二重昇降カーテン装置のその他の態様は、上縁部分が支持バーに取着されて前後対向する前のカーテンと後のカーテンの上昇と下降を、該カーテンの幅方向の少なくとも両側に対応させて上下方向で配設した昇降コードの昇降操作によって行うように構成された二重昇降カーテン装置である。そして前記前のカーテン及び後のカーテンは、共に、スラットを上下多段に並設してなるブラインドとして構成されており、前記した夫々の昇降コードは、前後いずれか一方のカーテンに関し、前記ブラインドの全てのスラットに設けられたコード挿通孔に上から下に向けて挿通して後、該ブラインドの下端側に設けられた下案内部を経由して上方に延長されると共に、前記支持バー又は前記カーテンの所要部位に設けた上案内部に経由せしめられる。その後、他方のブラインドの全てのスラットに設けられたコード挿通孔に上から下に向けて挿通し、その先端部が、該他方のブラインドの下端部に固定状態されており、該昇降コードの基端側での引上げと戻しを伴う前記昇降操作により、前後のブラインドの上昇と下降を行わせ得ることを特徴とするものである。
【００１９】
ブラインドタイプの二重昇降カーテン装置の他の態様は、上縁部分が支持バーに取着された前後対向する前のカーテンと後のカーテンの上昇と下降を、該カーテンの幅方向の少なくとも両側に対応させて上下方向で配設した昇降コードの昇降操作によって行うように構成された二重昇降カーテン装置である。そして前のカーテン又は後のカーテンのいずれか一方は、スラットを上下多段に並設してなるブラインドとして構成され、他方のカーテンは全体がシート状に構成されており、前記した夫々の昇降コードは、前記ブラインドとしてのカーテンに関し、全てのスラットに設けられたコード挿通孔に上から下に向けて挿通して後、該ブラインドの下端側に設けた下案内部を経由して上方に延長されると共に、前記支持バー又は前記カーテンの所要部位に設けた上案内部に経由せしめられる。その後、他方のカーテンの面部に上下所要間隔で設けられたコード挿通部に上から下に向けて挿通し、その先端部が、該カーテンの上下方向の所要部位に固定状態とされており、該昇降コードの基端側での引き上げと戻しを伴う前記昇降操作により、前後のカーテンの上昇と下降を行わせ得ることを特徴とするものである。
【００２０】
ブラインドタイプの二重昇降カーテン装置のその他の態様は、上縁部分が支持バーに取着された前後対向する前のカーテンと後のカーテンの上昇と下降を、該カーテンの幅方向の少なくとも両側に対応させて上下方向で配設した昇降コードの昇降操作によって行うように構成された二重昇降カーテン装置である。そして前のカーテン又は後のカーテンのいずれか一方は、スラットを上下多段に並設してなるブラインドとして構成され、他方のカーテンは全体がシート状に構成されており、前記した夫々の昇降コードは、前記シート状に構成されたカーテンに関し、その面部に上下所要間隔で設けられたコード挿通部に上から下に向けて挿通して後、該カーテンの上下方向の所要部位に設けた下案内部を経由して上方に延長されると共に、前記支持バー又は前記カーテンの所要部位に設けた上案内部に経由せしめられる。その後、前記ブラインドの全てのスラットに設けられたコード挿通孔に上から下に向けて挿通して後、その先端部が、該ブラインドの下端部に固定状態とされており、該昇降コードの基端側での引き上げと戻しを伴う前記昇降操作により、前後のカーテンの上昇と下降を行わせ得ることを特徴とするものである。
【００２１】
前記各二重昇降カーテン装置において、いずれか一方のカーテンの自重の１／２を、他方のカーテンの自重よりも小さく設定し、昇降コードの基端側での引上げによって、前記一方のカーテンが先に上昇し、その後に他方のカーテンが上昇するように構成するのがよい。
【００２２】
【発明の実施の形態】
以下、本発明の実施の形態を図面に基づいて説明する。
図１〜６において本発明に係る二重昇降カーテン装置（カーテン装置という）１は、上縁部分２，３が支持バー５に取着されて前後対向する前のカーテン６と後のカーテン７の上昇と下降を、該カーテン６，７の両側と中央部に対応させて上下方向で配設した昇降コード９の昇降操作によって行うように構成されている。
【００２３】
前記支持バー５は、本実施の形態においては図６〜９に示すように、上下端が内方に屈曲した前後の側片１０，１１の内面側の上端寄り部位相互を連結片１２で連結してなるボックス状を呈しており、例えば建物の窓開口部の天井部１３に、該窓開口部の上縁と平行に延長する如く配置され、ブラケット１５を介して固定可能となされている。そして両側片１０，１１の外面には、前記前後のカーテン６，７の上縁部分２，３を着脱可能に固定するための面状ファスナの一片１６が固定されると共に、前記連結片１２の下側をなす溝状空間１７内にはその長さ方向に延長する如く巻取り軸１９が納設されている。
【００２４】
該巻取り軸１９は、六角柱状の軸として形成されており、図６〜７、図９に示すように、前記溝状空間１７内にその長さ方向に所要間隔を置いて納設された後述の３個の巻取り具２０，２０，２０の各挿通孔２１に支持されて、正逆回転可能となされている。そして図６、図１０〜１１に示すように、該巻取り軸１９の一端部には駆動輪２２が固設されており、該駆動輪２２の周溝２３に、球体２５を小間隔で直列に連結してなるチェーン２６を掛着してなり、該チェーン２６を正逆方向に周回させることにより、前記球体２５と前記駆動輪２２に設けた係合凹部２７との係合によって、該駆動輪２２を正逆回転させ得るように構成されている。又、該駆動輪２２には図示しない摩擦部材が常時接触するように構成されている。
【００２５】
前記巻取り具２０は、図７、図９〜１１に示すように、前記昇降コード９を巻き取るもので、左右の支持片２９，３０の前側の下端相互及び後側の下端相互を前の繋ぎ片３１と後の繋ぎ片３２で連結した構成を有しており、前後の繋ぎ片３１，３２の下端３３が、前記支持バー５の前後の側片１０，１１の下端に屈曲形成された水平屈曲片３４，３５で支持される如くなされている。そして、該左右の支持片２９，３０の中央部には軸受孔３６，３７が設けられ、該軸受孔３６，３７で、円筒状の巻取り筒３９が回転自在に軸支されている。又該巻取り筒３９の一方の支持片２９側に設けた取付片３８には、コード取付け孔４０が設けられている。
【００２６】
又前記支持バー５の下面部には、図７〜８に示すように、固定滑車４１ａとしての上案内部４１が、前記納設された巻取り具２０の前記一方の支持片２９側で設けられている。該固定滑車４１ａは、支持バー５の下端で後方に向け突設された支持突片４２の両側に支持片４３を下設し、該支持片４３にローラ４４を回転自在に取り付けた構成を有している。
【００２７】
又前記前のカーテン６は、図１、図３、図７〜８、図１２〜１３に示すように、室内側に配置され、暗幕生地やプリント生地を用いた、全体がシート状を呈する遮光性カーテンとして形成されており、下端に設けた袋状収容部４５にウエイトバー４６（図１３）が収容されると共に、上縁部分２には、前記面状ファスナ１６と着脱自在に係合し得る面状ファスナ４７が取り付けられている。そして該カーテン６の後の面部４９には、図６、図１２に示すように、左右方向（カーテンの幅方向）に所要間隔で配設される前記昇降コード９を挿通させるためのコード挿通部５０が、各昇降コード９に対応させて上下方向に所要間隔で並設されている。そして図１２〜１３に示すように、最下端に位置するコード挿通部５０ａの稍下側に位置させて、動滑車５１ａとしての下案内部５１が設けられており、該動滑車５１ａは、球状取付け片５２にローラ５３を取り付けることによって形成されている。
【００２８】
一方前記後のカーテン７は、図１〜５、図７〜８、図１２〜１３に示すように、窓側に配置され、レース生地を用いた、全体がシート状を呈する透光性カーテンとして形成されており、前記前のカーテン６と同様にして、下端に設けた袋状収容部５５にウエイトバー５６（図１３）が収容されると共に、上縁部分３には、前記面状ファスナ１６と着脱自在に係合し得る面状ファスナ４７が取り付けられている。そして該後のカーテン７の上端部分には、該上端部分の左右方向に所要間隔で配設される昇降コード９と位置合わせして、図２、図４〜５、図７に示すように、コード挿通孔５７がハトメを用いて形成されている。又該カーテン７の後の面部５９には、図２、図４〜５、図１２に示すように、左右方向に所要間隔で配設される前記昇降コード９を挿通させるためのコード挿通部５０が、各昇降コードに対応させて上下方向に所要間隔で並設されている。又最下端に位置するコード挿通部５０ｂの稍下側に位置させて、コード取付部６０（図１３）が設けられている。
【００２９】
そして前後のカーテン６，７の、前記ウエイトバー４６，５６を含めた自重は、前のカーテン６の自重の１／２が後のカーテン７の自重よりも小さくなるように設定されている。
【００３０】
又前記昇降コード９は、１本の紐状に構成されており、その基端側の端部６１が、図７、図１０に示すように、前記巻取り軸１９に設けられた取付片３８に抜け止め状態に設けられ、前記巻取り筒３９の正回転に伴い、該昇降コード９が該巻取り筒３９に順次巻き取られるようになされている。
【００３１】
そして該昇降コード９は、図１２〜１３に示すように、前のカーテン６の後の面部４９に上下方向に並設された前記コード挿通部５０に上から下に向けて順次挿通せしめられると共に、前記動滑車５１ａのローラ５３に案内され（即ち、下案内部５１に経由せしめられ）、上方に延長せしめられ、その後図７に示すように、前記固定滑車４１ａのローラ４４に案内され（即ち、上案内部４１に経由せしめられ）、前記後のカーテン７のコード挿通孔５７に、その前側から後側に向けて挿通せしめられる。その後図１２に示すように、該後のカーテン７の後の面部５９に上下方向に並設された前記コード挿通部５０に上から下に向けて順次挿通せしめられ、その先端部６２が図１３に示すように、前記コード取付部６０に固定状態とされている。
【００３２】
然して、かかる構成を有するカーテン装置１において、前記チェーン２６を図３、図１０に矢印で示す一方向に周回させると、前記巻取り軸１９が正回転して、昇降コード９が図１１に示すように巻取り筒３９（即ち巻取り軸１９）に巻き取られる。前のカーテン６に係る前後のコード部９ａ１，９ｂ１は、図１２〜１３に示すように、昇降コード９が動滑車５１ａとしての下案内部５１を経由し、且つ、前のカーテン６の自重の１／２が後のカーテン７の自重よりも小さいために、昇降コード９の該基端側での引上げ操作により、先ず、室内側に位置する前のカーテン６が、図１に示すように、ひだ状部分６３が積み重なる状態で引き上げられていく。そして、前のカーテン６が引き上げられた後も前記チェーン２６を更に同方向に周回させると、今度は、窓側に位置する後のカーテン７が、ひだ状部分が積み重なる状態で引き上げられていく。図１４は、後のカーテン７が完全に引き上げられてひだ状部分６５が積み重なった状態を示す。前記のように、図示しない摩擦部材が前記駆動輪２２に常時接触状態にあるため、前後のカーテン６，７の所要の引上げ状態は、該駆動輪２２の戻りが阻止され、巻き取られた昇降コード９の巻き戻りが阻止されて、所要のカーテン引上げ状態が維持される。
【００３３】
この状態で前記チェーン２６を逆方向に周回させることにより、前後のカーテン６，７を下降させて図１２に示す状態に戻すことができる。
【００３４】
〔その他の実施の形態〕
本発明は、前記実施の形態で示したものに限定されるものでは決してなく、「特許請求の範囲」の記載内で種々の設計変更が可能であることはいうまでもない。その一例を挙げれば次のようである。
【００３５】
（１）  図１５は、前後のカーテン６，７の上縁部分２，３を一体化した態様を示すものであり、この場合は、後のカーテン７の上端部分に設けたコード挿通孔５４に、前のカーテン６に関連して配設された、下方向に延び且つ下案内部５１を経由して上方向に延長するコード部９ａ，９ｂが挿通せしめられ、上案内部４１が後のカーテン７の後側に位置する。
【００３６】
（２）  図１６は前記昇降コード９が、後のカーテン７の後の面部５９に上下所要間隔で設けられたコード挿通部５０に上から下に向けて挿通せしめられ、その後、該カーテン７の下端側に設けた動滑車５８ａとしての下案内部５８を経由して上方向に延長され、その先端部６２が該動滑車５８ａの稍上側において後のカーテン７に固定状態とされた態様を示すものである。なお該動滑車５８ａは、例えば、前記動滑車５１ａと同様構成のものである。
このように構成した場合は、昇降コード９が、後のカーテン７の下端側の部分７ａにおいては、該後のカーテン７の自重が、動滑車５８ａを経由した２本のコード部９ａ２，９ｂ２で支持される状態となる。そのため、今、前のカーテン６の自重の１／２が後のカーテン７の自重の１／２よりも小さいときは、前のカーテン６が完全に上昇した後、後のカーテン７の下端側の部分７ａが比較的ゆっくり上昇し、下案内部５８が昇降コードの先端部６２の高さに達した後は、後のカーテン７の残りの部分７ｂが比較的早く上昇することになる。
この場合、前のカーテン６の自重の１／２が後のカーテン７の自重よりも小さく、且つ後のカーテン７の自重の１／２が前のカーテンの自重の１／２よりも小さい場合は、昇降コードの基端側での引上げにより、前記下案内部５８が昇降コードの先端部６２の高さになるまでは、後のカーテンの下端側の部分７ａが先に上昇する。その後、前のカーテン６が完全に上昇し、最後に、後のカーテン７の残りの部分７ｂが上昇することになる。
【００３７】
（３）  図１７は、図１６における場合において、昇降コード９の先端部６２が更に上方に延長され、前記支持バー５に固定状態とされた態様を示すものである。
このように構成した場合、前のカーテン６の自重の１／２が後のカーテン７の自重の１／２よりも小さいときは、前のカーテン６が完全に上昇した後に、後のカーテン７が上昇することになる。
【００３８】
（４）  前記実施の形態においては、後のカーテン７のコード挿通部５０が、該カーテンの後の面部５９に設けられているが（図１２）、該コード挿通部５０が前の面部に設けられることもある。
【００３９】
（５）  前後のカーテン６，７の丈は異なることもある。
【００４０】
（６）  本発明に係るカーテン装置は、建物の窓部に設置されることの他、間仕切りとして用いられることもあり、前後のカーテン６，７を、使用目的に応じて所要の素材で形成できる。そして昇降コード９は、前後いずれかのカーテンに関し、その面部に上下所要間隔で設けられたコード挿通部に上から下に向けて挿通して後、該カーテンの下端側に設けた下案内部を経由して上方に延長されると共に、前記支持バーに設けた上案内部に経由せしめられ、その後、他方のカーテンの面部に上下所要間隔で設けられたコード挿通部に上から下に向けて挿通せしめられ、その先端部が該カーテンの上下方向の所要部位に固定状態とされる。
【００４１】
（７）  下案内部をカーテンの上下方向の所要部位に設けるとは、カーテンの下端側や中間の所要部位に設けることを意味する。特に下端側に設けるとは、カーテンの下端寄りの部位に設けることを意味し、カーテンの最下端乃至その近傍部位に設けるものには限られない。カーテンの最下端から稍上側に設ける態様の一つとしては、カーテンが、上下幅が５〜２０ｃｍ程度に形成されたフリル状の裾装飾片を有する場合において、該裾装飾片の上側に位置させて設ける態様を挙げることができる。
【００４２】
（８）  本発明に係るカーテン装置において前記上案内部は、前記のように支持バーに設けられることの他、カーテンの上端側やカーテンの中間部分等のカーテンの所要部位に設けられることもある。
【００４３】
（９）  上案内部４１及び下案内部５１は、図７、図１３に示すような回転自在のローラを用いて構成されることの他、昇降コードを挿通状態等によって案内させ得るものであれば、例えば図１８に示すようなリング状をなすもの等、各種に構成できる。
【００４４】
（１０）昇降コードの先端部をカーテンの所要部位に固定状態とするとは、該先端部をカーテンに固着することの他、図１９や図２０に示すように、球状部等として形成された先端部６２が、カーテンの所要部位に設けられたリング状等をなす係合部６６の下縁部分６７や上縁部分６９と係合する固定状態を含むものである。
【００４５】
（１１）カーテンの面部に上下所要間隔で設けられたコード挿通部５０は、例えば図２１に示すように、カーテン６又はカーテン７に設けられた透孔として構成されることもある。
【００４６】
（１２）昇降コードの基端側での引き上げを、図１１に示すようにコードの巻き上げによって行う場合、前記巻取り筒３９を電動式で回転させるように構成してもよい。
【００４７】
（１３）昇降コードの基端側での引き上げを、前記のように巻取り具２０による巻上げによって行う場合、昇降コードの本数を、前記実施の形態における３本よりも更に増やすことが可能である。これによって、本発明を、左右幅の大なるカーテンに対しても応用できることになる。例えば３〜５ｍ幅のカーテン等、従来は対処し得なかったカーテンに対しても容易に応用できる
【００４８】
（１４）昇降コードの基端側での引き上げは、図１１に示すような巻上げ方式の他、図２４に関連して説明したところと同様にして、ロック装置を挿通した昇降コードの束を引き下げ、その後該ロック装置を作動させて行うこともある。
【００４９】
（１５）本発明に係るカーテン装置において、前後のカーテン６，７の双方又は何れか一方のカーテンを、スラットを多段に配設してなる従来と同様構成のブラインドを用いて構成することも可能である。
この場合は例えば図２２に示すように、昇降コード９は、一方のブラインド７２としての前のカーテン６の各スラット７１に設けられたスリット状のコード挿通部５０に上から下に向けて挿通せしめられ、最下端に位置するスラット受板７３に設けられた下案内部５１を経由して、前記コード挿通部５０を下から上に向けて挿通せしめられて後、前記支持バー５に設けた上案内部４１（隣り合うローラ７４、７４からなる）に経由せしめられ、その後、他方のブラインド７５としての後カーテン７の各スラット７６に設けられたコード挿通部５０に、前記と同様にして上から下に向けて挿通せしめられ、その先端部６２が、スラット受板７７に固定状態とされる。然して、昇降コード９の基端側での引上げと戻しを伴う昇降操作により、前後のブラインド７２，７５としてのカーテン６，７の上昇と下降を行わせることができる。又、図示しない操作ロッドの回転操作によりラダーテープ７８を傾動操作して、各スラット７１，７６を所要に傾かせることができる。
図２２においては、前後のカーテンを共にブラインドとして構成したが、その何れか一方のみをブラインドとし、他方は、前記実施の形態で示したと同様の、全体がシート状を呈するカーテンとして構成することもできる。この場合における該シート状カーテンに対する昇降コードの配設状態は、前記各実施の形態で示したと同様である。
【００５０】
【発明の効果】
本発明は以下の如き優れた効果を奏する。
（１）  本発明に係るカーテン装置は、前後のカーテンの上縁部分を支持バーに取着すると共に、一本の昇降コードを、前後いずれかのカーテンに関し、その面部に上下所要間隔で設けられたコード挿通部に上から下に向けて挿通させて後、該カーテンの下端側等のカーテンの上下方向の所要部位に設けた下案内部を経由して上方に延長させる共に、前記支持バー又は前記カーテンの所要部位に設けた上案内部に経由せしめ、その後、他方のカーテンの面部に上下所要間隔で設けられたコード挿通部に上から下に向けて挿通させ、その先端部をカーテンの下端側等のカーテンの上下方向の所要部位に固定状態とし、又は該昇降コードの先端側を、該他方のカーテンの面部の下端側に設けた下案内部を経由して上方に延長させ、昇降コードの先端部をカーテンの所要部位に固定状態とし、或いは、該先端部を更に上方に延長して前記支持バーに固定状態とする構成を採用している。
従って本発明によるときは、該昇降コードの基端側での引上げと戻しを伴う昇降操作によって、前後のカーテンを選択的に或いは同時的に上昇させることができ、又、該上昇させたカーテンを下降させることができる
従来の二重昇降カーテン装置にあっては、前後のカーテンの夫々に対応させて昇降コードを設けていたため、前記したように、前後のカーテンの昇降のために、支持バーの両端側での昇降操作を要する面倒さがあり、又該支持バーの一方の端側で昇降操作を行う場合も、前後の昇降コードが絡む問題があったが、本発明によるときは、かかる問題点を解消でき、前後のカーテンを支持バーの一方の端部側において確実且つ容易に昇降操作できる利点がある。
【００５１】
（２）  特に、カーテンの幅方向に所要間隔を置いて配設された昇降コードの基端側での引上げと戻しを、支持バーにその長さ方向に配設した巻取り軸の正逆回転操作によって行う場合は、図２５に示すようなロック装置を用いる場合とは異なり、昇降コードの本数を自由に増やせる利点がある。
これにより本発明によるときは、従来のカーテン装置にあっては達成できなかった左右方向幅の大なるカーテンを用いた二重昇降カーテン装置を容易に構成できることとなる。例えば従来の二重昇降カーテン装置にあっては、カーテンの左右幅としては２ｍ５０ｃｍ程度が限度であったが、本発明によるときは３〜４ｍ程度の左右幅を有するカーテンを用いるときも、二重昇降カーテン装置を容易に構成できる利点がある。
【００５２】
（３）  いずれか一方のカーテンの自重の１／２を他方のカーテンの自重よりも小さく設定する場合は、昇降コードの基端側での引き上げにより、先ず該一方のカーテンの引き上げを生じさせ、その後に他方のカーテンの引上げを生じさせることができ、カーテンの引き上げに順序を付けることができる。
その具体的な場合として、前記一方のカーテンを、室内側に配置されるカーテンとすると共に他方のカーテンを窓側に配置されるカーテンとするときは、暗幕生地等を用いて形成した室内側のカーテンのみを上昇させ、レース生地等を用いて形成した窓側のカーテンは閉じた状態とすることができ、必要に応じて、窓側のカーテンを所要の上昇状態となし得る。
【図面の簡単な説明】
【図１】本発明に係るカーテン装置を正面側から見た斜視図である。
【図２】その背面側から見た部分斜視図である。
【図３】その正面側から見た一部欠切部分斜視図である。
【図４】その背面側から見た部分斜視図である。
【図５】本発明に係るカーテン装置を示す一部欠切の部分背面図である。
【図６】本発明に係るカーテン装置を、後のカーテンを省略して示す一部断面背面図である。
【図７】本発明に係るカーテン装置の上側部分を示す断面図である。
【図８】本発明に係るカーテン装置の上側部分を示す一部欠切斜視図である。
【図９】昇降コードの巻取り装置を示す断面図である。
【図１０】昇降コードの巻取り装置を示す斜視図である。
【図１１】昇降コードの巻取り装置を、昇降コードの一部を巻き取った状態で示す斜視図である。
【図１２】本発明に係るカーテン装置の全体構成を示す一部断面側面図である。
【図１３】前後のカーテンの下側部分を示す側面図である。
【図１４】前後のカーテンの引上げ状態を示す側面図である。
【図１５】本発明に係るカーテン装置の他の態様を示す断面図である。
【図１６】本発明に係るカーテン装置のその他の態様を示す一部断面側面図である。
【図１７】本発明に係るカーテン装置のその他の態様を示す一部断面側面図である。
【図１８】下案内部の他の態様を示す側面図である。
【図１９】昇降コードの先端部をカーテンに固定状態とする他の態様を示す側面図である。
【図２０】昇降コードの先端部をカーテンに固定状態とする他の態様を示す側面図である。
【図２１】コード挿通部の他の態様を示す断面図である。
【図２２】ブラインドに応用されたカーテン装置のその他の態様を示す断面図である。
【図２３】従来のカーテン装置の一例を示す背面図である。
【図２４】従来のカーテン装置の他の例を示す部分斜視図である。
【図２５】ロック装置の作用を説明する断面図である。
【符号の説明】
１  カーテン装置
５  支持バー
６  前のカーテン
７  後のカーテン
９  昇降コード
１９  巻取り軸
２０  巻取り具
４１  上案内部
５０  コード挿通部
５１  下案内部
７１  スラット
７６  スラット
【図１】
0003598098.tif 000002
【図２】
0003598098.tif 000003
【図３】
0003598098.tif 000004
【図４】
0003598098.tif 000005
【図５】
0003598098.tif 000006
【図６】
0003598098.tif 000007
【図７】
0003598098.tif 000008
【図８】
0003598098.tif 000009
【図９】
0003598098.tif 000010
【図１０】
0003598098.tif 000011
【図１１】
0003598098.tif 000012
【図１２】
0003598098.tif 000013
【図１３】
0003598098.tif 000014
【図１４】
0003598098.tif 000015
【図１５】
0003598098.tif 000016
【図１６】
0003598098.tif 000017
【図１７】
0003598098.tif 000018
【図１８】
0003598098.tif 000019
【図１９】
0003598098.tif 000020
【図２０】
0003598098.tif 000021
【図２１】
0003598098.tif 000022
【図２２】
0003598098.tif 000023
【図２３】
0003598098.tif 000024
【図２４】
0003598098.tif 000025
【図２５】
0003598098.tif 000026